(57)【要約】【課題】  様々な計器に対応可能な計器取付スタットへの計器の取付を容易にし、計器箱への計器取付時間を短縮可能な治具を提供する。【解決手段】  計器箱１に設置された計器取付スタット１０に設けられ、複数種類の計器に対応するため各計器のネジ穴間隔に合わせてスライド可能であるスタットネジ１３に、計器のネジ穴を挿入して計器を計器箱１に固定する際に、計器のネジ穴間隔と同間隔に複数の穴２１が設けられているネジ間隔固定治具２０を用いて、取付ける計器のネジ穴間隔と同間隔にネジ間隔を固定する。【選択図】  図５
2007101369.tif 000002
【特許請求の範囲】
【請求項１】
計器箱に設置された計器取付スタットに設けられ、複数種類の計器に対応するため各計器のネジ穴間隔に合わせてスライド可能であるスタットネジに、計器のネジ穴を挿入して計器を計器箱に固定する際に用いられるネジ間隔固定治具であって、複数種類の計器のネジ穴間隔と同間隔に複数のネジ穴が設けられていることを特徴とする計器取付スタットのネジ間隔固定治具。
【請求項２】
請求項１において、ネジ間隔固定治具が紙からなることを特徴とする計器取付スタットのネジ間隔固定治具。
【請求項３】
請求項１または２において、計器が電力量計であることを特徴とする計器取付スタットのネジ間隔固定治具。
【請求項４】
請求項１〜３のいずれかのネジ間隔固定治具を用いて計器取付スタットのスタットネジのネジ間隔を固定し、計器のネジ穴をスタットネジに挿入して計器を計器箱に取付けることを特徴とする計器取付方法。
【発明の詳細な説明】
【技術分野】
【０００１】
本発明は電力量計等の様々な計器に対応可能な計器取付スタットへの計器の取付を容易にし、取付時間を短縮可能な治具及び取付方法に関する。
【背景技術】
【０００２】
電力量計等の計器を屋外に取付ける際は計器箱の中に計器を収納している。計器箱はベースとカバーとを有し、まずベースを壁面等に設置し、その中に計器を収納し、カバーで覆う。これにより、雨等の環境から計器を保護することが可能となる。
【０００３】
計器には様々な種類があり、型式等によってネジ穴間隔が異なる。そこで、以前は計器箱のベースに多数の取付穴を設ける方法により様々なネジ穴間隔を有する多種の計器に対応していた（特許文献１参照）。
【０００４】
近年、計器箱のベースに計器を設置する際には、様々なネジ穴間隔の計器に対応可能な計器取付スタットが用いられている。計器取付スタットは計器箱のベースに設置され、計器取付スタットに計器が設置される。計器取付スタットはスライド可能なネジを有し、これによって様々なネジ穴間隔の計器を取付けることが可能である。
【０００５】
【特許文献１】実開平２−２７５１３号公報
【発明の開示】
【発明が解決しようとする課題】
【０００６】
しかし、計器取付スタットにはスタットネジがスライド可能に設けられているので、計器を計器箱のベースに取付ける際、計器取付スタットのネジがスライドしてしまい、ネジの位置が安定せずに、計器取付スタットのスタットネジの位置と計器のネジ穴の位置をうまく合わせて取付けることが難しく、計器の取付に時間がかかってしまうという欠点があった。
【０００７】
本発明は、上述の問題に鑑み、様々な計器に対応可能な計器取付スタットへの計器の取付を容易にし、計器箱への計器取付時間を短縮可能な治具、及びスライドするスタットネジをそなえた取付スタットに対し計器を容易に固定可能な計器の取付方法を提供することを目的とする。
【課題を解決するための手段】
【０００８】
上記課題を解決する本発明の第１の態様は、計器箱に設置された計器取付スタットに設けられ、複数種類の計器に対応するため各計器のネジ穴間隔に合わせてスライド可能であるスタットネジに、計器のネジ穴を挿入して計器を計器箱に固定する際に用いられるネジ間隔固定治具であって、複数種類の計器のネジ穴間隔と同間隔に複数のネジ穴が設けられていることを特徴とする計器取付スタットのネジ間隔固定治具にある。
【０００９】
かかる第１の態様では、簡単な構造で容易に作製可能な本発明のネジ間隔固定治具を計器取付スタットのネジに通して用いることにより、ネジを手で押さえる必要がなく簡単にネジ穴の位置を規制することができる。これにより、空いた手で別の動作を行うことも可能となる。したがって、本発明のネジ間隔固定治具を用いることにより、短時間で様々な種類や型式の計器を計器箱に設置することができる。
【００１０】
本発明の第２の態様は、第１の態様において、ネジ間隔固定治具が紙からなることを特徴とする計器取付スタットのネジ間隔固定治具にある。
【００１１】
かかる第２の態様では、簡単に入手可能な材料からなるネジ間隔固定治具を用いてネジ間隔を固定することができる。また、紙製で設置後に治具は取り外す必要が無いため手間がかからず、不要であったり端部が邪魔な場合は、容易に引き剥がして取り除いたり端部のみ切り取ったりすることが可能である。
【００１２】
本発明の第３の態様は、第１または第２の態様において、計器が電力量計であることを特徴とする計器取付スタットのネジ間隔固定治具にある。
【００１３】
かかる第３の態様では、本発明のネジ間隔固定治具を用いることにより、容易に短時間で電力量計を計器箱に設置することができる。
【００１４】
本発明の第４の態様は、第１〜第３の態様のいずれかのネジ間隔固定治具を用いて計器取付スタットのスタットネジのネジ間隔を固定し、計器のネジ穴をスタットネジに挿入して計器を計器箱に取付けることを特徴とする計器取付方法にある。
【００１５】
かかる第４の態様では、短時間で様々な種類や型式の計器を計器箱に容易に設置することができる。
【発明の効果】
【００１６】
本発明によれば、簡単な構造で簡単に作製可能な本発明のネジ間隔固定治具を用いることにより、容易に短時間で様々な種類や型式の計器を計器箱に設置することができる。
【発明を実施するための最良の形態】
【００１７】
以下、本発明の実施形態を図１〜図７に基づき説明する。
【００１８】
図１（ａ）及び図１（ｂ）は本発明のネジ間隔固定治具が適用される計器箱の一部を破断した正面図及び計器箱の断面図、図２（ａ）及び（ｂ）は図１の計器箱内に収められる計器の正面図及び側面図、図３（ａ）は図１の計器箱に設置された、計器を取付けるための計器取付スタットの詳細を示す正面図、図３（ｂ）は図３（ａ）のIII‐III線矢視図である。
【００１９】
図１に示すように、本実施形態における計器箱１は、ベース２及びカバー３からなる。屋外等で図１のような計器箱１が設置され図２のような計器３０が収められる場合は、まず壁面５０等にベース２が取付けられる。ベース２には上下方向にのびる左右一対の溝４が設けられ、計器取付スタット１０が溝４に設置される。溝４に設けられた計器取付スタット１０により計器３０の下部がベース２に設置される。図１及び図３に示す通り計器取付スタット１０は長尺矩形状を有し、上下各々二ヶ所の裏面に、裏方向に突出する凸部１１を有する。ベース２の左右に設けられた溝４に計器取付スタット１０の凸部１１を挿入することにより計器取付スタット１０をベース２に設置することができる。計器取付スタット１０はベース２の溝４に沿って上下に移動させることが可能である。また、計器取付スタット１０は左右に一対のスリット１２を有し、スリット１２に沿ってスライド可能なスタットネジ１３を有する。スタットネジ１３を左右にスライドさせることによりスタットネジ１３の間隔を変更することができ、様々なネジ穴間隔の計器３０に対応が可能である。
【００２０】
図４に本発明の本実施形態におけるスタットネジ間隔固定治具２０の正面図を示す。図３の計器取付スタット１０に設置されたスライド可能なスタットネジ１３のネジ間隔を規制するため、計器取付スタット１０にスタットネジ間隔固定治具２０を取付けた状態を図５及び図６に示す。図５（ａ）は計器取付スタット１０にスタットネジ間隔固定治具２０を取付けた状態のベース２の正面図、図５（ｂ）は図５（ａ）のベース２にカバー３が取付けられた状態の断面図、図６（ａ）は計器取付スタット１０にスタットネジ間隔固定治具２０を取付けた状態の計器取付スタット１０の正面図、図６（ｂ）は図６（ａ）のＶ‐Ｖ線矢視図である。
【００２１】
図４に示す通り、スタットネジ間隔固定治具２０は、頻繁に使用する多種の計器３０のネジ穴３１の間隔に合わせて計器取付スタット１０のネジ間隔を規制するために、多数の穴２１が設けられた治具である。本実施形態におけるスタットネジ間隔固定治具２０は、計器取付スタット１０の形状に沿った長尺矩形の形状を有し、紙からなり、スタットネジ１３を通す穴２１が中心を挟んで片側に一個、反対側に６個、長手方向に設けられている。
【００２２】
図５〜図６に示す通り、計器取付スタット１０のスタットネジ１３を、取付ける計器３０のネジ穴３１間隔と同間隔になる二つの穴２１に通すことにより、スタットネジ１３のネジ間隔を計器３０のネジ穴３１間隔と同間隔に規制することができる。間隔が異なるネジ穴３１を備えた計器３０をベース２に取付ける場合、スタットネジ間隔固定治具２０における別の穴２１に計器取付スタット１０のスタットネジ１３を挿入することによりスタットネジ１３の間隔を別の間隔に変更して規定することができる。
【００２３】
図７（ａ）〜図７（ｃ）にスタットネジ間隔固定治具２０を用いて計器３０を計器箱１に収めた状態の正面図、側面図及び断面状態の説明図を示す。
【００２４】
図７に示す通り、間隔が固定された計器取付スタット１０のスタットネジ１３に計器３０下部のネジ穴３１（図２参照）が通され、ナット１４で締められ、計器箱１の計器取付スタット１０に計器３０が取付けられる。計器３０上部は別途ネジ等により計器箱１のベース２に固定される。この様に計器３０は上下共に計器箱１のベース２に固定され、さらにベース２をカバー３で覆うことにより、計器３０を屋外等の外部環境から保護することができる。
【００２５】
計器箱１への計器３０設置の際に本発明のスタットネジ間隔固定治具２０を使用しない場合、スタットネジ１３が容易に移動してしまい、計器３０のネジ穴３１にスタットネジ１３を挿入する作業に手間を要する。特に高い場所や狭い空間での計器箱１への計器３０設置作業は困難である。
【００２６】
本発明のスタットネジ間隔固定治具２０の使用により、スタットネジ１３に設置されたスタットネジ間隔固定治具２０のベース２に対する位置によって、視覚的に計器３０の裏側にあるスタットネジ１３の位置を推測することが可能となり、したがって計器取付スタット１０への計器３０の取付も容易となる。
【００２７】
またスタットネジ間隔固定治具２０により計器３０のネジ穴３１の間隔と同間隔にスタットネジ間隔が固定されているため、計器３０下部の左右二つのネジ穴３１の一方にスタットネジ１３を挿入することができれば、容易に計器３０の左右の他方のネジ穴３１にスタットネジ１３を挿入することが可能である。したがって、計器取付スタット１０への計器３０の取付がさらに容易となる。
【００２８】
これらの利点により、本発明のスタットネジ間隔固定治具２０の使用により、計器箱１への計器３０の設置時間を短縮することが可能となる。
【００２９】
本実施形態においては計器を特に限定していないが、スタットネジ間隔固定治具２０は主に電力量計の設置時の使用が考えられる。
【００３０】
本実施形態におけるネジ間隔固定治具２０は紙製であるが、その他にプラスチックなど、絶縁が保たれ、ごく薄い板状にすること及び穴をあけることが可能であれば、材料は紙に限定されない。しかしながら、本実施形態のように紙を用いた場合や、柔らかく薄いビニールのような材料であれば、計器設置後にネジ間隔固定治具２０の左右の端部が邪魔になる場合に、容易に切除するなどして取り除くことが可能である。
【００３１】
図８にネジ間隔固定治具２０に設けられる穴２１の図４と異なる配置例を示す。ネジ間隔固定治具２０に設けられる穴２１は、図８のようにネジ間隔固定治具２０の中心から左右対称に同じ間隔で複数設けられ、一つの間隔に対し一対の穴２１を使用するようにしても良い。穴２１が一つの間隔に対し対に二つ設けられている場合は、ネジ間隔固定治具２０の中心と計器取付スタット１０の中心とを計器３０のネジ間隔に拘らず一致させることができる。これにより、計器取付スタット１０を用いて計器箱１のベース２に計器３０を取付けた後に計器３０の外側に突出したネジ間隔固定治具２０の左右の端部の突出長さがより短くなり、取付け後に端部が邪魔にならず、端部を切除する手間を省くことが可能となる。
【００３２】
なお、ネジ間隔固定治具２０において穴２１がどのように設けられても穴２１の個数は限定されない。
【図面の簡単な説明】
【００３３】
【図１】本発明のネジ間隔固定治具が適用される計器箱の概要図である。
【図２】図１の計器箱内に収められる計器の概要図である
【図３】図１の計器箱に設置された、計器を取付けるための計器取付スタットの詳細図である。
【図４】本発明の本実施形態におけるスタットネジ間隔固定治具の正面図である。
【図５】計器取付スタットにスタットネジ間隔固定治具を取付けた状態の計器箱の概要図である。
【図６】計器取付スタットにスタットネジ間隔固定治具を取付けた状態の計器取付スタットの概要図である。
【図７】スタットネジ間隔固定治具を用いて計器を計器箱に収めた状態の概要図である。
【図８】他の実施形態例に係るネジ間隔固定治具の正面図である。
【符号の説明】
【００３４】
１    計器箱
２    ベース
３    カバー
４    溝
１０  計器取付スタット
１１  凸部
１２  スリット
１３  スタットネジ
１４  ナット
２０  スタットネジ間隔固定治具
２１  穴
３０  計器
３１  ネジ穴
４０  連結金具
５０  壁面
【図１】
2007101369.tif 000003
【図２】
2007101369.tif 000004
【図３】
2007101369.tif 000005
【図４】
2007101369.tif 000006
【図５】
2007101369.tif 000007
【図６】
2007101369.tif 000008
【図７】
2007101369.tif 000009
【図８】
2007101369.tif 000010